(57)【特許請求の範囲】
【請求項１】
前後方向を向く係止孔を穿設した鍔片の前面に、少なくとも先端部に通孔を有する前方を向く差し込み片を突設した引き込み具本体と、可撓性部材からなるほぼＵ字状の巻き付け片の両端に、互いに内向きに弾性撓曲させることにより、前記鍔片の係止孔に後方より挿入係止しうる係止片を有する連結具とを備えるクッション体の引き込み具における前記差し込み片を、クッション体の裏面より表面側へと差し込み、クッション体の表面側より出た前記差し込み片の通孔に押え手段を通すことにより、この押え手段と鍔片とにより、クッション体を表裏より挟み、かつ前記引き込み具本体の鍔片の係止孔に巻き付け片を支持部分に跨がせた連結具の係止片を弾性的に挿入係止させたことを特徴とするクッション体支持構造。
【請求項２】
引き込み具本体と連結具とを、合成樹脂材料により一体成形した請求項１記載のクッション体支持構造。
【請求項３】
押え手段を、複数の引き込み具の通孔へ挿通した棒状体または索条とした請求項１または２記載のクッション体支持構造。
【発明の詳細な説明】
【０００１】
【発明の属する技術分野】
本発明は、椅子の座席やベッド等におけるクッション体を、その支持部分において引き込ませて支持するための引き込み具、及びこれを用いたクッション体支持構造に関する。
【０００２】
【従来の技術】
従来、例えば特開平６−１４２３５２号公報や特開平１１−４７４６４号公報等に記載されているようなクッション体の引き込み具が知られている。
【０００３】
【発明が解決しようとする課題】
しかし、このような従来のクッション体の引き込み具は、構造が複雑で高価であり、かつ表皮材を引き込んで張設するに際しての作業性が悪いなどの問題がある。
【０００４】
本発明は、上述の問題点に鑑み、単純かつ簡単な構造であって、合成樹脂による一体成形が可能であり、しかも安価で、作業性がよいクッション体の引き込み具と、これを用いたクッション体の支持構造を提供することを目的としている。
【０００５】
【課題を解決するための手段】
本発明によると、上記課題は、次のようにして解決される。
(１) 前後方向を向く係止孔を穿設した鍔片の前面に、少なくとも先端部に通孔を有する前方を向く差し込み片を突設した引き込み具本体と、可撓性部材からなるほぼＵ字状の巻き付け片の両端に、互いに内向きに弾性撓曲させることにより、前記鍔片の係止孔に後方より挿入係止しうる係止片を有する連結具とを備えるクッション体の引き込み具における前記差し込み片を、クッション体の裏面より表面側へと差し込み、クッション体の表面側より出た前記差し込み片の通孔に押え手段を通すことにより、この押え手段と鍔片とにより、クッション体を表裏より挟み、かつ前記引き込み具本体の鍔片の係止孔に巻き付け片を支持部分に跨がせた連結具の係止片を弾性的に挿入係止させたことを特徴とするクッション体支持構造。
【０００６】
(２) 上記(１)項において、引き込み具本体と連結具とを、合成樹脂材料により一体成形する。
【０００７】
(３) 上記(１)または(２)項において、押え手段を、複数の引き込み具の通孔へ挿通した棒状体または索条とする。
【０００８】
【発明の実施の形態】
図１は、椅子の座席部分(Ａ)を示す斜視図で、本発明は、そのクッション体を支持部材に引き留める引き込み具、及びこれを用いたクッション体支持構造に関する。
【０００９】
図２以下は、座席部分(Ａ)の背凭れ(10)に本発明を適用した一実施形態を示す。
【００１０】
図２に示すように、背凭れ(10)の構造部分は、下端部を省略して示す背凭れフレーム(12)と、この背凭れフレーム(12)に取り付けられた背凭れ板(14)とからなっている。
【００１１】
背凭れ板(14)は、例えば硬質合成樹脂材料の成形品であり、その周辺部を除く内側部には、エキスパンデッドメタル状の中抜きの格子(16)が形成されている。この格子(16)の縦桟に、後述する本発明の引き込み具が引き留められる。
【００１２】
図３は、引き込み具(18)の分解斜視図であり、この引き込み具(18)は、引き込み具本体(20)と連結具(22)とからなっている。
【００１３】
引き込み具本体(20)は、比較的硬質の合成樹脂材料の一体成形品で、中央に前後方向を向く横長の係止孔(24)が穿設された円形の鍔片(26)と、鍔片(26)の前面における係止孔(24)の両脇から前方に延び、前端において互いに合体して、内側に通孔(28)を形成する２個の足片(30a)(30a)からなる細長い差し込み片(30)とを有している。
【００１４】
なお、差し込み片(30)は、必ずしも２個の足片(30a)を有するものでなくてもよく、細長い単一の突片に通孔(28)を穿設したものでもよい。また、鍔片(26)は、円形のものとして例示したが、方形等の任意の形状であってもよい。
【００１５】
連結具(22)は、可撓性を有する比較的硬質の合成樹脂材料の一体成形品で、ほぼＵ字状(この実施形態では鏃状)の巻き付け片(32)の両端に、互いに内向きに弾性撓曲させることにより、鍔片(26)の係止孔(24)に後方より挿入係止しうる係止片(34)(34)が設けられている。
【００１６】
まず、図４及び図５に示すように、引き込み具本体(20)の差し込み片(30)を、クッション体(36)の裏面より表面側へ差し込み、クッション体(36)の表面側より出た差し込み片(30)の通孔(28)に、押え手段である棒状体(38)を通す。
【００１７】
他方、連結具(22)の巻き付け片(32)を、支持部分である背凭れ板(14)の格子(16)の桟部分を取り巻くようにして跨がせる。
【００１８】
次いで、連結具(22)の係止片(34)(34)を、引き込み具本体(20)の鍔片(26)の後面から、その係止孔(24)に挿入すると、係止片(34)は互いに内向きに弾性的に撓曲して係止孔(24)を通り、ここに係止される。その結果、クッション体(36)は、棒状体(38)と鍔片(26)とにより、その表裏から挾まれることとなる。
【００１９】
このようにして、クッション体(36)に差し込んだ複数の引き込み具(18)の通孔(28)に、棒状体(38)を貫挿すると、図５及び図１に示すように、絞り込み部(40)が形成される。
【００２０】
なお、押え手段としては、棒状体(38)に代えて、複数の引き込み具(18)の通孔(28)に挿通させた索条、または個々の引き込み具(18)の通孔(28)に係止させるか、または縫着したボタン状のもの等を用いてもよい。
【００２１】
【発明の効果】
請求項１記載の発明によると、簡単な構造で、丈夫であり、かつ係止が確実で作業性のよい引き込み具を提供することができる。しかも、鍔片により、クッション体の裏面が確実に保持されるとともに、後方へ膨出するのが阻止されるので、クッション体が支持部材における引き込み具の取付部に挟み込まれて、破損したりするのが確実に防止される。
また、丈夫で作業性がよいクッション体支持構造を提供することができる。
【００２２】
請求項２記載の発明によると、極めて安価な引き込み具とすることができる。
【００２３】
請求項３記載の発明によると、押え手段を複数の引き込み具の通孔に連続して挿通させて、連続した絞り込み部を簡単に形成することができ、表皮材が緩むのを防止することができる。
【図面の簡単な説明】
【図１】  本発明を適用した椅子の座席部分の斜視図である。
【図２】  同じく、座席部分の背凭れを構成する背凭れフレームの一部と背凭れ板の斜視図である。
【図３】  本発明の引き込み具の一実施形態の拡大分解斜視図である。
【図４】  図３に示した引き込み具を背凭れ板に取り付け、その前端部の通孔に、押え手段である棒状体を挿通した状況を示す部分拡大斜視図である。
【図５】  図１のＶ−Ｖ線に沿う断面図で、取り付けを完了したクッション体支持構造を示す図である。
【符号の説明】
(Ａ)座席部分
(10)背凭れ
(12)背凭れフレーム
(14)背凭れ板
(16)格子(支持部分)
(18)引き込み具
(20)引き込み具本体
(22)連結具
(24)係止孔
(26)鍔片
(28)通孔
(30)差し込み片
(30a)足片
(32)巻き付け片
(34)係止片
(36)クッション体
(38)棒状部片(押え手段)
(46)絞り込み部
【図１】
0004589475.tif 000002
【図２】
0004589475.tif 000003
【図３】
0004589475.tif 000004
【図４】
0004589475.tif 000005
【図５】
0004589475.tif 000006